(57)【要約】      （修正有）【課題】若者や女性も将棋を楽しめるように、美しくチェスのような雰囲気が楽しめる将棋用駒を提供する。【解決手段】透明な素材によって形成された柱状の将棋用駒１０であって、上面１５又は底面１１に一の色の文字が施され、その一の色の文字に重ねて他の色の文字が施されていることを特徴とする将棋用駒。【選択図】図１
0003138333.tif 000002
【実用新案登録請求の範囲】
【請求項１】
透明な素材によって形成された柱状の将棋用駒であって、上面又は底面に一の色の標章が施され、その一の色の標章に重ねて他の色の標章が施されていることを特徴とする将棋用駒。
【請求項２】
前記標章が文字であり、底面に一の色の逆文字が施され、その一の色の逆文字に重ねて他の色の逆文字が施されていることを特徴とする請求項１記載の将棋用駒。
【請求項３】
前記標章が文字であり、上面に一の色の正文字が施され、その一の色の正文字に重ねて他の色の正文字が施されていることを特徴とする請求項１記載の将棋用駒。
【請求項４】
前記標章は、ホットスタンプによって施されていることを特徴とする請求項１乃至３いずれかに記載の将棋用駒。
【考案の詳細な説明】
【技術分野】
【０００１】
本考案は、美しくチェスのような雰囲気が楽しめる将棋駒に関するものである。
【背景技術】
【０００２】
将棋は、古くから日本で楽しまれているゲームである。将棋には駒が用いられ、一般的には木製又はプラスチック製の茶色の将棋用駒が用いられる。しかしこれらの駒は、見た目に地味な印象を与え、若者や女性が将棋を指さない一因でもあるとも考えられる。
【０００３】
特殊な形態の将棋用駒としては、例えば、中間表示板をもうけて、その表裏に透明プラスチック板を密着させ所定の厚みに成形した将棋用駒が提案されている（特許文献１）。
【特許文献１】実開平２−１５１８４号公報
【考案の開示】
【考案が解決しようとする課題】
【０００４】
しかし、中間表示板と２つの透明プラスチック板とを有しているので、接合部が外観を害し、美しさに問題がある。
【０００５】
そこで本考案においては、若者や女性も将棋を楽しめるように、美しくチェスのような雰囲気が楽しめる将棋用駒を提供することを目的とする。
【課題を解決するための手段】
【０００６】
上記の課題を解決するため、本考案に係る将棋用駒は、透明な素材によって形成された柱状の将棋用駒であって、上面又は底面に一の色の標章が施され、その一の色の標章に重ねて他の色の標章が施されていることを特徴とする。
【０００７】
この構成では、透明な素材によって形成された柱体の将棋駒であるので、美しくチェスのような雰囲気が楽しめる。また、上面又は底面に一の色の標章が施され、その一の色の標章に重ねて他の色の標章が施されているので、接合部がなく外観が美しく、従来の将棋用駒と同様に駒を裏返すだけで成駒を表すことができる。
【０００８】
本考案に係る将棋用駒は、標章が文字であり、底面に一の色の逆文字が施され、その一の色の逆文字に重ねて他の色の逆文字が施されているか、又は上面に一の色の正文字が施され、その一の色の正文字に重ねて他の色の正文字が施されていることが好ましい。
【０００９】
また、本考案に係る将棋用駒は、標章が印刷によって施されているのが好ましく、例えばホットスタンプやスクリーン印刷によって施されている。
【考案の効果】
【００１０】
以上のように、本考案によれば、美しくチェスのような雰囲気が楽しめる将棋用駒を提供することができる。
【考案を実施するための最良の形態】
【００１１】
次に、本考案に係る将棋用駒の実施例を図面に基づいて説明する。図１（ａ）は、本実施例に係る将棋用駒の斜視図、（ｂ）は、その平面図、図２（ａ）は、図１（ａ）の将棋用駒を裏返し（成った状態）にした斜視図、（ｂ）はその平面図、図３は、本考案に係る将棋用駒を将棋盤に配列した状態を表す斜視図、図４（ａ）は、他の実施例に係る将棋用駒の斜視図、（ｂ）は、そのＡ−Ａ’断面図である。
【００１２】
本実施例に係る将棋用駒１０は、円柱状に形成され、ガラス、プラスチック等の透明な素材により形成される。将棋用駒１０の底面１１には、銀将の文字からなる標章が施されている。図１及び図２に示されるように、銀将の文字からなる標章は、柱体の底面１１の表面にホットスタンプにより、黒色の逆文字がまず施され、次にその逆文字に重なるように赤色の逆文字が施されることにより形成されている。本実施例に係る将棋用駒１０は、透明な円柱により構成されているので、黒色の銀の正文字１８は、上面側から認識でき、赤色の成銀の逆文字１９は裏面側から認識できる。
【００１３】
将棋用駒は、将棋盤１００の上に、平手戦の将棋の開始時には図３のように配置される。将棋用駒１０は銀将を、将棋用駒２０は金将を、将棋用駒３０は王将を、将棋用駒４０は桂馬を、将棋用駒５０は香車を、将棋用駒６０は飛車を、将棋用駒７０は角行を、将棋用駒８０は歩兵を、それぞれ表す。これらの将棋用駒は、将棋用駒１０と同様の構成となっている。このように配置された将棋用駒の向かい側にも、将棋用駒が同様に配置されている。
【００１４】
将棋用駒３０は、駒の高さが最も高く、将棋用駒６０と７０、将棋用駒２０、将棋用駒１０、将棋用駒４０、将棋用駒５０、将棋用駒８０の順に低くなっている。駒の円柱の半径は、将棋用駒２０、将棋用駒３０、及び将棋用駒６０は長く、将棋用駒４０、将棋用駒５０、及び将棋用駒８０は短くなっている。将棋用駒７０の柱体の形態は、直方体となっており、底面は正方形で、底面の一辺の長さは、将棋用駒６０の直径と同じ長さになっている。
【００１５】
他の実施例に係る将棋用駒９０は、図４に示されるように、上面９５に銀将の文字からなる標章が施され、底面９１は空洞になっている。銀将の文字からなる標章は、柱体の上面９５の表面にホットスタンプにより、黒色の正文字がまず施され、次にその正文字に重なるように赤色の正文字が施されることにより形成されている。
【００１６】
本実施例に係る将棋用駒においては、柱体の上面又は底面に、王将、飛車、角行、金将、銀将、桂馬、香車、又は歩兵の文字が施されているが、これに限定されるものではなく、駒の種類が識別できる標章が施されていればよい。例えば、王、飛、角、金、銀、桂、香、歩とそれぞれ表示してもよい。王将と金将については、成ることがないので、成った状態を表わさなくてもよい。将棋用駒の形態は、柱体であればよく、水平な将棋盤に安定に置くことができればよい。各将棋用駒の形態は、駒の強さ、役割、将棋盤に配置される際のバランス等を考慮して決定されるのが好ましい。例えば、王将の駒の高さを一番高くして、王将、飛車と角行、金将、銀将、桂馬、香車、歩兵の順に駒の高さを低くすることができる。このようにすることで、駒の種類（強さ）の識別がより容易になる。
【図面の簡単な説明】
【００１７】
【図１】（ａ）は、本実施例に係る将棋用駒の斜視図、（ｂ）は、その平面図である。
【図２】（ａ）は、図１（ａ）の将棋用駒を裏返し（成った状態）にした斜視図、（ｂ）はその平面図である。
【図３】将棋用駒を将棋盤に配列した状態を表す斜視図である。
【図４】（ａ）は、他の本実施例に係る将棋用駒の斜視図、（ｂ）は、そのＡ−Ａ’断面図である。
【符号の説明】
【００１８】
１０・・・将棋駒、  １１・・・底面、  １５・・・上面、  １８・・・正文字、  １９・・・逆文字  ２０，３０，４０，５０，６０，７０，８０・・・将棋駒、  ９０・・・将棋駒、  ９１・・・底面、  ９５・・・上面、  １００・・・将棋盤
【図１】
0003138333.tif 000003
【図２】
0003138333.tif 000004
【図３】
0003138333.tif 000005
【図４】
0003138333.tif 000006